(57)【要約】集積された、光学的に増幅される受信機は、一般的には、光通信ラインを介して、波長分割多重光通信信号を受信するために、光学的にポンピングされる前置増幅器を有する。ＰＩＮフォトディテクタは、光前置増幅器からのフィルタされた分離された信号として光通信信号を受信し、そして、光通信信号を電気通信信号へ変換する。増幅器回路は、ディジタルリタイミング又は復調のために、電気通信信号を増幅する。
2004535086.tif 000002
【特許請求の範囲】
【請求項１】
光ファイバ通信線をわたり光通信信号を受信する光前置増幅器と、光通信信号を受信する前記光前置増幅器に機能的に接続され、単一チャネルを選択し、且つ、光前置増幅器により生成された雑音をフィルタ除去する帯域通過フィルタと、前記帯域通過フィルタから光通信信号を受信し且つ光通信信号を電気通信信号へ変換するＰＩＮ検出器と、電気通信信号を増幅する増幅器回路とを有する、光学的に増幅される受信機。
【請求項２】
前記帯域通過フィルタは、調整可能な帯域通過フィルタを含み、前記ＰＩＮダイオードは、約３．３ボルトで動作し、そして、光前置増幅器をポンピングするレーザと、光前置増幅器をポンピングするのに使用されるレーザとインターフェースするレーザドライバとを有する、請求項１に記載の光学的に増幅される受信機。
【請求項３】
前記レーザドライバは、注入レーザダイオード、固定の電流を確立する電流源制御ループ回路、前記注入ダイオードと電流源制御ループ回路に接続された電圧切り換え器回路を有し、前記光前置増幅器は、単一波長の光通信線に接続され、前記光通信線をわたり受信される前記光通信信号は波長分割多重光通信信号を含む、請求項２に記載の光学的に増幅される受信機。
【請求項４】
波長分割多重光通信を分離するために前記前置増幅器と帯域通過フィルタに機能的に接続されたデマルチプレクサを有し、前記増幅器回路は電気通信信号を再整形する電気的に制限する増幅器を含み、前記増幅器回路は判断回路と電気通信信号をリタイミングするクロック再生回路を含む、請求項３に記載の光学的に増幅される受信機。
【請求項５】
光通信線をわたり光通信信号を受信する光前置増幅器と、光通信信号を受信する前記光前置増幅器に機能的に接続され、且つ、光前置増幅器により生成された雑音をフィルタ除去する帯域通過フィルタと、前光前置増幅器から前記光通信信号を受信し且つ光通信信号を電気通信信号へ変換するＰＩＮ検出器と、電気通信信号を増幅する増幅器回路と、集積化された受信機組立体として、前記光前置増幅器、ＰＩＮ検出器及び、増幅器回路を含むハウジング又は印刷されたカード組立体のいずれか１つとを有する、集積化された光学的に増幅される受信機。
【請求項６】
前記帯域通過フィルタは、調整可能な帯域通過フィルタを含み、前記ＰＩＮダイオードは、約３．３ボルトで動作し、光前置増幅器をポンピングするレーザと、光前置増幅器をポンピングするのに使用されるレーザとインターフェースするレーザドライバとを有する、請求項５に記載の光学的に増幅される受信機。
【請求項７】
前記レーザドライバは、更に、注入レーザダイオード、固定の電流を確立する電流源制御ループ回路、及び、前記注入ダイオードと電流源制御ループ回路に接続された電圧切り換え器回路を有し、前記光前置増幅器は、単一波長の光通信線に接続され、前記光通信線をわたり受信される前記光通信信号は波長分割多重光通信信号を含み、波長分割多重光通信を分離するために前記前置増幅器に機能的に接続されたデマルチプレクサを有し、前記増幅器回路は電気通信信号を再整形する電気的に制限する増幅器を含み、前記増幅器回路は判断回路と電気通信信号をリタイミングするクロック再生回路を含む、請求項５に記載の光学的に増幅される受信機。
【請求項８】
光通信線をわたり光通信信号を受信する、低雑音の、利得が平坦なエルビウム添加光前置増幅器と、光通信信号を受信する前記光前置増幅器に機能的に接続され、単一チャネルを選択し、且つその光前置増幅器により発生された雑音をフィルタ除去する帯域通過フィルタと、前記前置増幅器を駆動するために前記光前置増幅器と帯域通過フィルタに機能的に接続され且つ注入レーザダイオードと、その注入レーザダイオードを通る固定電流を確立する前記注入レーザダイオードに接続された電流源制御ループ回路と、前記注入ダイオードと電流制御ループ回路に接続され、固定の電源電圧を受信し且つそのレーザダイオードをバイアスし且つ最小化された電力損失を有する前置増幅器へ光出力を発生するためにその電源電圧を誘導的に順方向電圧へ降下させて変換するように適用される電圧切り替え器回路とを有するレーザドライバと、光通信信号を電気通信信号へ変換する前記前置増幅器に機能的に接続された光／電気変換回路とを有し、且つ、集積された受信機組立体として、前記光前置増幅器、帯域通過フィルタ、レーザドライバ及び、光／電気変換回路とを有するハウジング又は印刷された回路カード組立体のいずれか１つを有する、光学的に増幅される受信機。
【請求項９】
前記帯域通過フィルタは、調整可能な帯域通過フィルタを含み、前記光／電気変換回路は、ＰＩＮ検出器を含み、また、前記電気通信信号を増幅する前記ＰＩＮ検出器に接続された増幅器回路も含む、請求項８に記載の光学的に増幅される受信機。
【請求項１０】
単一の光通信線をわたり波長分割多重光信号を受信する、低雑音の、利得が平坦なエルビウム添加光前置増幅器と、光信号を受信する前記光前置増幅器に機能的に接続され、チャネルを選択し、且つその光前置増幅器により発生された雑音をフィルタ除去する帯域通過フィルタと、前記光前置増幅器と帯域通過フィルタに機能的に接続され且つ注入レーザダイオードと、その注入レーザダイオードを通る固定電流を確立する前記注入レーザダイオードに接続された電流源制御ループ回路と、前記注入ダイオードと電流制御ループ回路に接続され、固定の電源電圧を受信し且つそのレーザダイオードをバイアスし且つ最小化された電力損失を有する前置増幅器へ光出力を発生するためにその電源電圧を誘導的に順方向電圧へ降下させて変換するように適用される電圧切り替え器回路とを有するレーザドライバと、波形分割多重光信号を分離された光信号へ分離する、前記低雑音の、利得が平坦なエルビウム添加光前置増幅器へ機能的に接続されたデマルチプレクサ回路と、分離された光信号を受信する複数の受信機チャネルと、光信号を電気通信信号へ変換する各受信機チャネル内に配置された光／電気変換回路とを有する、光学的に増幅される受信機。
【発明の詳細な説明】
【０００１】
本発明は、通信受信機に関連し、特に、光通信信号を変換する通信受信機に関連する。
【０００２】
単一チャネルの（又は波長の）光ファイバ通信リンクの帯域は、主に、送信機と受信機で要求される高速電子回路により、制限される。光通信信号の波長分割多重は、電子回路の速度を増加させずに、光ファイバ通信リンクの帯域を増加させるのに使用される技術である。通信受信機では、光通信信号を受信する光チャネルは、切り離され、又は、分離され、且つそれらの個々の受信機へ送られなければならず、これは、データ受信のレートを変化させる。一例は、２，４８８Ｇｂ／ｓ受信機である。
【０００３】
分離処理は理想的ではなく、そして、光学的な損失を招き、これは、全体的な受信機の感度を減少させる。感度の減少は、全体的な通信リンクについてより短い伝送距離へ中継する。部品が個々の基準で最適化されるときには、より小さいサイズと低電力動作の利益は、これらの形式の受信機構造では、達成されない。波長分割多重受信機の高感度を達成する１つの現在の方法は、アバランシフォトダイオード（ＡＰＤ）を有する波長デマルチプレクサを使用することである。これらの電子的に増幅される光受信機は、ラックに取り付ける構成の別のユニットとして設計されている。典型的にはラックに取り付ける構成内の各カードユニットは、個々の部品を表し、低電力と小さな足跡が望ましい進んだ航空機設計又は他の設計仕様として、特に低電力応用では、非常に大きなしかし、望ましくないユニットを形成する。
【０００４】
これらの形式の光受信機は、ラックに取り付けるユニットでありそして、アバランシフォトダイオードを使用するので、受信機感度電力損失が、光デマルチプレクサの光挿入損失に約等しく、発生する。典型的には、光前置増幅器を使用する通信受信機は、高感度と低電力の両方に最適化されておらず、そして、単一の組立体内に含まれていない。また、幾つかの光通信受信機では、レーザドライバが必要である。レーザダイオードに電力を与えるのに必要な電流を送るために、電子回路が使用され、そして、レーザドライバへ電力を供給するが、しかし、それ自身も電力を消費する。制御回路により消費される、この電力は、光子に変換されないので、本質的に無駄な電力である。
【０００５】
幾つかの現在の設計の注入レーザダイオードドライバは、調整された電流を注入レーザダイオードに送るのに、線形パストランジスタを使用する。この、方法は装置をわたっての一定の電圧と装置を通しての一定の電流となり、大きな量の消費された電力となる。例えば、注入レーザダイオードドライバにより消費される全電力のほぼ９０％は、いくつかの従来技術の設計では、そのパストランジスタ内で発生する。従って、注入レーザダイオードに純粋な電流源を送ることが望まれる、要求と解決方法が、必要である。
【０００６】
本発明は、光ファイバ通信線をわたり光通信信号を受信する光前置増幅器と、光通信信号を受信する前記光前置増幅器に機能的に接続され、単一チャネルを選択し、且つ、光前置増幅器により生成された雑音をフィルタ除去する帯域通過フィルタと、前記帯域通過フィルタから光通信信号を受信し且つ光通信信号を電気通信信号へ変換するＰＩＮ検出器と、電気通信信号を増幅する増幅器回路とを有する、光学的に増幅される受信機を含む。
【０００７】
本発明の目的は、システムとして最適化され且つ単一の組立体に統合される、最適化され且つ完全に集積化された、高感度の、電力効率の良い、光学的に増幅される受信機を提供することである。
【０００８】
本発明の他の目的は、現在利用できる技術を超える増加された伝送距離を可能とし、貴重な装置−ラックスペースの体積を減少し、且つ、更に効果的な熱管理を提供する、光学的に増幅器される受信機を提供することである。
【０００９】
便利に、集積化された光学的に増幅器される受信機は、電力消費を減少し、そして、モデム通信システムの多くのチャネル数と高データレートシステムについて有益である。受信機回路の雑音性能は、低電力動作と交換されることが可能である。受信機は、高レベルの集積を含み、共通の基板熱管理の組み込みを可能とする。光学的に増幅される受信機部品をシステムとして最適化されるように設計し且つそれらを単一の組立体に組み込むことにより、現在利用できる技術を超えて伝送距離を増加し、貴重な装置−ラックスペースの体積を減少させ、そして、更に効率的な熱管理を提供することを可能とする。エルビウム添加光ファイバ増幅器技術の使用は、光／電気変換器としてのアバランシフォトダイオードの代わりにＰＩＮ検出器が使用されることを許し、これは、受信機の全体的な信頼性を増加し、電力消費を減少させる。
【００１０】
高受信機感度と部品の信頼性は光増幅器で実現でき、そして、ＰＩＮ検出器はカスタム化された低電力ポンプレーザドライバと集積され、そして、受信機技術は単純化と効率化を可能とする。
【００１１】
優位に、光学的に増幅される受信機は、光通信線をわたり光通信信号を受信する光前置増幅器を有し、本発明の一面では、それは波長分割多重された信号を受信する単一の通信線である。帯域通過フィルタは、光前置増幅器に機能的に接続され且つ、光通信信号を受信し、単一の波長分割多重された信号を選択し、そして、光前置増幅器により生成された雑音をフィルタ除去する。光前置増幅器は、本発明の一面では、低雑音の、利得が平坦なエルビウム添加光前置増幅器である。
【００１２】
レーザドライバは、光前置増幅器をポンピングするのに使用されるレーザとインターフェースし、そして、注入レーザダイオードと、注入レーザダイオードを通して固定の電流を確立する注入レーザダイオードに接続された電流源制御ループ回路を有する。電圧切り換え器回路は、注入レーザダイオードと電流源制御ループ回路に接続されている。この電圧切り換え器回路は、固定の電源電圧を受信し且つその注入レーザダイオードをバイアスし且つ最小化された電力損失を有する前置増幅器へ光出力を発生するためにその電源電圧を誘導的に順方向電圧へ降下させて変換するように適用される。
【００１３】
更に、本発明の他の面では、デマルチプレクサフィルタが、波形分割多重光信号を分離された光信号へ分離する、低雑音の、利得が平坦なエルビウム添加光前置増幅器へ機能的に接続される。複数の受信機チャネルは、分離された光信号を受信する。光／電気変換回路は、各受信機チャネル内に配置され、そして、光信号を電気通信信号へ変換する。
【００１４】
ハウジング又は回路カードのいずれか１つは、集積された受信機組立体として、光前置増幅器、レーザドライバ、デマルチプレクサフィルタ及び、光／電気変換回路とを有する。帯域通過フィルタは、光通信信号を受信する光前置増幅器に機能的に接続され、そして、その光前置増幅器により発生された雑音をフィルタ除去する。
【００１５】
光／電気変換回路は、ＰＩＮ検出器と、電気通信信号を増幅するためにＰＩＮ検出器に接続された増幅器回路を含むことが可能である。更に、本発明の他の面では、増幅器回路は集積回路、判断回路とクロック再生回路を含むことが可能である。更に、本発明の他の面では、増幅器回路は、アナログ伝送信号の復調器を含むことが可能である。
【００１６】
本発明を、添付の図面を参照して以下に説明する。
【００１７】
本発明は、複数の波長の通信信号を有する単一の入力ファイバと共に使用されるのが好ましく設計された、高い技術の、最適化された、そして、完全に集積化された、高感度波長分割多重された光学的に増幅される受信機を提供する。また、この受信機は、多くの現在の最新技術の連続波形レーザドライバを超えて電力を減少したレーザドライバを使用することにより、大きく電力を節約することを可能とする。
【００１８】
電力の節約は、注入レーザダイオードを通る望ましい電流に設定される標準電流源制御ループ構成を使用することにより達成される。電流源は、無駄な電力即ち、注入レーザダイオードに送られない電力、の量を最小化する最新の部品を使用して最適化されている。レーザドライバは、電流源脚内の各部品をわたる最少の電圧降下が存在するように、変えられる出力電圧を有する高効率可変電圧切り替え器である電流源も有し、このように過度な電力を消費しない。これらの電力節約は、システム内の他の回路へ向けられ、そして、増加された財政とエネルギー節約と共により長く続く、電池で電力が与えられた装置を可能とする。
【００１９】
本発明の一面では、スイッチング電流源は、効率の悪い線形ドライバが交換されて、光前置増幅器内の注入レーザダイオードを駆動するのに使用される。
【００２０】
幾つかの注入レーザダイオードドライバは、調整された電流を注入レーザダイオードへ送るために、線形パストランジスタを使用する。これは、装置をわたる一定の電圧と、装置を通る一定の電流となり、大きな量の消費電力となり、そして、例えば、ほぼ９０％がパストランジスタで発生する。
【００２１】
本発明は、純粋な電流が、スイッチングパストランジスタから注入レーザダイオードへ送られることを可能とし、これは、”フルオン”そして、”フルオフ”モードで、二者択一的に行われる。”フルオン”モードのときには、トランジスタをわたる電圧はない。”フルオフ”モードの時には、トランジスタを通して流れる電流はない。この結果、スイッチングパストランジスタは、減少された量の電力を消費する。注入レーザダイオードとエルビウム利得要素の特性に基づいてパラメータを操作する切り換え器を配置することにより、切り換え器雑音は、光増幅器の高性能と一貫性のある方法で維持される。期待される効率改善は、全ドライバ電力の約１５％へのパストランジスタ電力の減少であり、注入レーザダイオードを含む合計の正味の効率は、約３０％までの範囲である。これは、ケーブル内に追加の光ファイバを配置することを可能とする。
【００２２】
本発明は、完全に集積され且つ高感度に最適化された、波長分割多重の且つ低電力の光学的に増幅される受信器も、提供する。それは、低電力工学を組み込みそして、前述のカスタム化された高効率ポンプレーザドライバと、ポンプレーザの熱電冷却器無しの動作を有する。それは、受信機のシリコンベースのチップ技術を可能とする。本発明の一面では、非限定的な例のみとして、それは１００ＧＨｚ（０．８ｎＭ）に基づく２．４８８Ｇｂ／ｓチャネルで８の異なるチャネルの形式で高感度を達成するために、最適化されそして集積化される。
【００２３】
受信機は、前述のように、複数の波長を有する単一の入力ファイバを使用する。それは、チャネル対チャネル出力パワーの最少変動を有する低損失デマルチプレクサが続く、前置増幅器として動作する、低雑音の、利得が平坦なエルビウム添加光ファイバ増幅器を有する。受信機配列が、続きそして、各受信機内に、ＰＩＮ検出器と高速電子回路を含む。
【００２４】
前述のように、単一チャネル又波長光ファイバ通信リンクの帯域は、送信機と受信機で必要とされる高速電子回路により制限される。種々のチャネルデータレートが知られているが、本発明は、約２．５Ｇｂ／ｓのデータレートに関連して記載される。当然に、設計は、増加されたデータレートで使用されることが可能である。単一チャネル光ファイバ通信リンクのためのいくつかの最新技術の光受信機は、２．４８８Ｇｂ／ｓで動作し、そして、入力光パワーが−３４ｄＢｍで、１ｘ１０−１１のビット／誤り率での動作に制限される。波長分割多重（ＷＤＭ）は、電子回路の速度を増加を要求せずに、光ファイバ通信リンクの帯域を増加する。この技術は、非限定的な例として、各々が２．４８８Ｇｂ／ｓで変調され、複数のチャネルと波長を、単一の光ファイバ上に多重する。光ファイバのこの集合ビットレートは、Ｎｘ２．４８８Ｇｂ／ｓとなり、Ｎ＝２，３，４，．．．である。受信機では、光チャネルは切り離されそして分離されされ、そして、個々の２．４８８Ｇｂ／ｓ受信機へ送られる。
【００２５】
分離処理は、理想的ではなく、そして、光学的な損失が発生され、これにより、全体的な受信機の感度を減少させる。これは、より短い伝送距離へ中継する。本発明のエルビウム添加光ファイバ技術に基づく光前置増幅器を組み込むことにより、デマルチプレクサの損失は克服され、そして、受信機雑音のフロア以上に信号レベルを増加することができ、そして、受信機感度を増加することが可能である。エルビウム添加光ファイバ増幅器技術は、光／電気変換器としてのアバランシフォトダイオードの代わりに、ＰＩＮ検出器を使用することを可能とする。
【００２６】
図１は、波長分割多重光ネットワーク１０を示し、種々の信号λ１、λ２、λ３、λ４が光ファイバラインとしての複数の光ファイバチャネル１２を通してトランク光ファイバ１４へ入力し、そして、インラインエルビウム添加光ファイバ増幅器リピータ１６へ入り、スターカプラ１８へ入る。異なる信号ブランチ２０（ＯＮ−１、．．．ＯＮ−Ｎ）がスターカプラ１８から伸び、１つのブランチ（又は、チャネル）は、光受信器２８を有するとして示され、そして、低雑音エルビウム添加光ファイバ増幅器２２と光帯域通過調整可能フィルタ２４に、２．５Ｇｂ／ｓで動作するような、光受信機２６が続く。
【００２７】
図２は、３０で、ハウジングに又は、本発明の他の面で、印刷された開度カード組立体３１上に、含まれる本発明の光学的に増幅される受信機を示す。一面では、部品は、単一の印刷回路カード組立体に取りつけられ、それは、１つのハウジング内に取りつけられることが可能であり、そして、集積された受信機組立体を形成する。記載は非限定的なデータレートの２．５Ｇｂ／ｓでの説明に関して進める。
【００２８】
図２に示されたように、信号Ｐｓは、光前置増幅器として動作する、エルビウム添加光ファイバ増幅器３２に入力する。示された前置増幅器３２、調整可能な帯域通過フィルタ回路３４及び、光／電気変換回路３６についての関連する動作パラメータは、適切なブロックに関連して示されている。帯域通過フィルタは、光前置増幅器から信号を受信し、単一チャネルを選択し、そして、光前置増幅器により発生された雑音をフィルタ除去する。
【００２９】
本発明の調整可能な帯域通過フィルタ３４は、図４と５に示されたように、パワー分割器４０と光帯域通過調整可能フィルタ４２を含み、パワー分割器４０は、縦続接続された３−ｄＢカプラ４４として示されている。しかし、これは、１つの形式のみのパワー分割器／光帯域通過調整可能フィルタ及びデマルチプレクサを示す。
【００３０】
本発明の一面では、光／電気変換器回路３６は、ＰＩＮ検出器（ダイオード）５０を有し、これに低雑音電気増幅器５２が続く。電子制限増幅器５４は、判断回路５６と共に動作しそして、データ回復を可能としそして、電気通信信号を再整形し、クロック再生回路５８は、クロック信号の再生と電子通信信号のリタイミングを可能とする。
【００３１】
図３は、本発明の低電力レーザドライバ回路６０を示し、これは、光前置増幅器と受信機組立体を駆動するにの使用される。５ボルト電源電圧入力は、多くの電子回路で標準である。レーザドライバ回路６０は、注入レーザダイオード６２、量子効率注入レーザダイオード（ＨＱＥＩＬＤ）を含む。電流源制御ループ回路６４は、注入レーザダイオード６２に接続され、そして、注入レーザダイオードを流れる固定の電流を確立する。この電流源制御ループ回路６４は、電流源制御ループ回路内に、注入レーザダイオードに接続された、電圧切り換え器チップ６６を有し、そして、５ボルトの固定の電源電圧を受信しそして誘導的に電源電圧を順方向電圧に降下させるように変換し、そして、レーザ注入ダイオードをバイアスしそして、最小化されたパワー損失を有する光出力を生成するように、適用される。
【００３２】
この電圧切り換え器回路チップ６６は、モノリシック的に単一の回路チップとして形成され、そして、図３に示された高効率電圧変換器として使用される。
【００３３】
電流源制御ループ回路６４は、低雑音電流源として動作する高効率電流源７０と、電流制御回路７２を有する。これらの回路は、すべて、１つのハウジング内に、そして、一面では、前置増幅器、調整可能な帯域通過フィルタ回路及び、光／電気変換回路を含む受信器部品を含む、印刷された回路カード組立体７４上に含まれる。
【００３４】
概略の回路図は、電流パラメータだけでなく、種々の電力及び電圧を示す。この非限定的な例では、２６０ミリワットと５ボルトのＤＣで、設計目標としての１チャネルで、３５デシベルの光利得がある。８チャネルに対しては、２６６ミリワットＤＣであり、そして、２２０ミリワットＤＣが達成される。ブラッググレーティング７３は、機能的に注入レーザ光ダイオード６２に接続され、そして、当業者に知られた原理で動作する。ブラッググレーティング７３は、光出力を受信し且つ光波長を安定化するのに構成される。
【００３５】
図５は、ビット誤り率（ＢＥＲ）対（ｄＢｍでの）入力光パワーのついての底が１０の対数を示す図である。四角の点は、光増幅器無しのＰＩＮのみの受信機を示し、一方、三角の点は、本発明の光学的に増幅されるＰＩＮ受信機を示す。グラフ上には、光学的に増幅される受信機を使用してシステム感度の１８デシベルの改善が示されている。
【００３６】
集積された、光学的に増幅される受信機は、一般的には、光通信ラインを介して、波長分割多重光通信信号を受信するために、光学的にポンピングされる前置増幅器を有する。ＰＩＮフォトディテクタは、光前置増幅器からのフィルタされた分離された信号として光通信信号を受信し、そして、光通信信号を電気通信信号へ変換する。増幅器回路は、ディジタルリタイミング又は復調のために、電気通信信号を増幅する。
【図面の簡単な説明】
【図１】
スターカプラとインラインエルビウム添加光ファイバ増幅器リピータに接続された、本発明の低雑音、波長分割多重受信機を示す図である。
【図２】
本発明の光学的に増幅される受信機の一例のブロック図である。
【図３】
光学的に増幅される受信機の一部として使用される、本発明のレーザドライバ／パワー変換器の一例を示すブロック図である。
【図４】
本発明で使用されることが可能である、パワースプリッタ／光バンドパス調整可能フィルタ、デマルチプレクサの一例を示すブロック図である。
【図５】
本発明で使用されることが可能である、パワースプリッタの概略図である。
【図６】
本発明の一例としての、ビット誤り率とｄＢｍでの入力光パワーを示すグラフである。
【図１】
2004535086.tif 000003
【図２】
2004535086.tif 000004
【図３】
2004535086.tif 000005
【図４】
2004535086.tif 000006
【図５】
2004535086.tif 000007
【図６】
2004535086.tif 000008
【国際公開パンフレット】
2004535086.tif 000009
2004535086.tif 000010
2004535086.tif 000011
2004535086.tif 000012
2004535086.tif 000013
2004535086.tif 000014
2004535086.tif 000015
2004535086.tif 000016
2004535086.tif 000017
2004535086.tif 000018
2004535086.tif 000019
2004535086.tif 000020
2004535086.tif 000021
2004535086.tif 000022
2004535086.tif 000023
2004535086.tif 000024
2004535086.tif 000025
【国際公開パンフレット（コレクトバージョン）】
2004535086.tif 000026
2004535086.tif 000027
【国際公開パンフレット（コレクトバージョン）】
2004535086.tif 000028
2004535086.tif 000029
2004535086.tif 000030
2004535086.tif 000031
2004535086.tif 000032
2004535086.tif 000033
2004535086.tif 000034
2004535086.tif 000035
2004535086.tif 000036
2004535086.tif 000037
2004535086.tif 000038
2004535086.tif 000039
2004535086.tif 000040
2004535086.tif 000041
2004535086.tif 000042
2004535086.tif 000043
2004535086.tif 000044
【国際調査報告】
2004535086.tif 000045
2004535086.tif 000046
2004535086.tif 000047